(57)【要約】      （修正有）【課題】円形の天板の中央部に開口を備えた折り畳み式テーブルにおいて、天板を２つ折りより多回数折り畳むことができ、かつ、耐久性に優れた折り畳み式テーブルを提供する。【解決手段】円形の天板１の中央部に開口２を備えた折り畳み式テーブルにおいて、天板１は、天板片１ａ〜１ｄを蝶番により連結し、開口２を横断する折り目線を軸として折り畳み可能に構成されている。【選択図】図１
2016087122.tif 000002
【特許請求の範囲】
【請求項１】
円形の天板の中央部に開口を備えた折り畳み式テーブルにおいて、
上記天板は、３つ以上の天板片を連結手段により連結し、上記開口を横断する折り目線を軸として折り畳み可能に構成されていることを特徴とする折り畳み式テーブル。
【請求項２】
上記開口は長方形であって、
上記天板は、４つの天板片を連結手段により連結してなり、
上記折り目線の少なくとも一本は、上記開口の対角線上を通っていることを特徴とする、請求項１に記載の折り畳み式テーブル。
【請求項３】
上記開口は正方形であって、
上記天板は、４つの天板片を連結手段により連結してなり、
上記折り目線は、いずれも上記開口の対角線上を通っていることを特徴とする、請求項１に記載の折り畳み式テーブル。
【発明の詳細な説明】
【技術分野】
【０００１】
本発明は、折り畳み式テーブルに関する。
【背景技術】
【０００２】
従来、調理器等収納のための開口を備えた折り畳み式テーブルが知られている（例えば、特許文献１参照）。
【０００３】
このようなテーブルは、携帯性に優れており、かつ、野外での調理に用いることができることから、バーベキュー等の用途に好適である。
【先行技術文献】
【特許文献】
【０００４】
【特許文献１】特開２００１−２９９４５７号公報
【発明の概要】
【発明が解決しようとする課題】
【０００５】
しかし、従来の折り畳み式テーブルは、天板が円形のものにあっては、２つ折りのものしか存在しなかったため、多人数での使用に好適な大型の天板とすると、折り畳んだ状態でも十分な携帯性が得られないという問題があった。
【０００６】
本発明は、かかる問題に鑑みなされたものであり、円形の天板の中央部に開口を備えた折り畳み式テーブルにおいて、天板を２つ折りより多回数折り畳むことができ、かつ、耐久性に優れた折り畳み式テーブルを提供することを目的とする。
【課題を解決するための手段】
【０００７】
上記の課題を解決するため、本発明の折り畳み式テーブルは、円形の天板の中央部に開口を備えた折り畳み式テーブルにおいて、上記天板は、３つ以上の天板片を連結手段により連結し、上記開口を横断する折り目線を軸として折り畳み可能に構成されていることを特徴としている。
【０００８】
上記の構成によれば、天板が円形であることから、使用者が全員の顔を見渡すことができ、かつ、天板を３つ折り以上にできるので、従来の２つ折りのテーブルよりも高い携帯性を実現することができる。
【０００９】
また、本発明の折り畳み式テーブルは、上記の折り畳み式テーブルにおいて、上記開口は長方形であって、上記天板は、４つの天板片を連結手段により連結してなり、上記折り目線の少なくとも一本は、上記開口の対角線上を通っていることを特徴としている。
【００１０】
上記の構成によれば、天板を４つ折りにできるので、従来の２つ折りのテーブルよりも高い携帯性を実現することができ、かつ、折り目線の少なくとも一本が上記開口の対角線上を通っていることにより、折り畳んだ状態の天板に角部が少ないので、角部に衝撃が加わることによる天板の摩耗や破損が生じにくい。
【００１１】
また、本発明の折り畳み式テーブルは、上記の折り畳み式テーブルにおいて、上記開口は正方形であって、上記天板は、４つの天板片を連結手段により連結してなり、上記折り目線は、いずれも上記開口の対角線上を通っていることを特徴としている。
【００１２】
上記の構成によれば、天板を４つ折りにできるので、従来の２つ折りのテーブルよりも高い携帯性を実現することができ、かつ、折り目線がいずれも上記開口の対角線上を通っていることにより、折り畳んだ状態の天板に角部がより少ないので、角部に衝撃が加わることによる天板の摩耗や破損がより生じにくい。
【発明の効果】
【００１３】
以上に述べたように、本発明の折り畳み式テーブルによれば、使用者が全員の顔を見渡すことができる円形の天板を用いつつ、従来の２つ折りのテーブルよりも高い携帯性を実現することができる。また、折り畳んだ状態の天板に角部が少ないので、角部に衝撃が加わることによる天板の摩耗や破損が生じにくく、耐久性に優れている。
【発明を実施するための形態】
【００１４】
以下、図面を参照して本発明の好ましい実施形態における折り畳み式テーブルについて説明する。なお、折り畳み式テーブルの脚については、天板の折り畳み動作を妨げないように適宜公知の折り畳み式テーブルの脚を使用すれば足りるため、以下では説明を省略する。
【００１５】
図１〜図７は、本発明の一実施形態にかかる折り畳み式テーブルの天板を、広げた状態（使用状態）から、折り畳んだ状態にするまでの折り畳み方の例を図示したものである。
【００１６】
図１に示すように、天板１は、４つの天板片１ａないし１ｄからなる。各天板片は、蝶番（連結手段）により、隣接する天板片と連結されている。なお、図面では、すべての蝶番を記載すると煩雑になるため、一部の蝶番のみ記載し、残りについては記載を省略している。
【００１７】
天板１は、広げた状態で中央部分に正方形の開口２が設けられるように構成されている。また、天板１は、開口２を横断する折り目線を軸として折り畳み可能に構成されている。天板１の折り目線は、いずれも開口２の対角線上を通っている。
【００１８】
図１は、天板１を広げた状態を示している。図２は、図１の状態から、天板片１ｃを折り畳む途中の状態を示している。図中の矢印は、天板片を折り畳む方向を示すものである（以下同じ）。図３は、図２の状態から、天板片１ｃを完全に折り畳んだ状態を示している。図４は、図３の状態から、天板片１ｄを折り畳む途中の状態を示している。図５は、図４の状態から、天板片１ｄを完全に折り畳んだ状態を示している。図６は、図５の状態から、天板片１ｂ・１ｄを折り畳む方向を示している。図７は、図５の状態から、天板片１ｂ・１ｄを完全に折り畳んだ状態を示している。
【００１９】
このように、天板１を４つ折りにすることにより、２つ折りにする従来のテーブルよりも高い携帯性を実現することができる。なお、ここでは、天板１の天板片を４つとしたが、これに限らず、天板片を３つとしてもよいし、５つ以上としてもよい。
【００２０】
また、開口２の形状を正方形として、その対角線上を通る各折り目線を軸に天板１を折り畳み可能に構成したことにより、折り畳んだ状態の天板１に角部が少ない。このため、角部に衝撃が加わることによる天板１の摩耗や破損が生じにくい。
【００２１】
なお、ここでは天板１を構成する各天板片を連結する連結手段として蝶番を用いたが、これに限らず、帯テープやゴム紐等を用いてもよい。
【００２２】
図８〜図１４は、本発明の他の実施形態にかかる折り畳み式テーブルの天板を、広げた状態（使用状態）から、折り畳んだ状態にするまでの折り畳み方の例を図示したものである。
【００２３】
図８に示すように、天板１１は、４つの天板片１１ａないし１１ｄからなる。各天板片は、蝶番（連結手段）により、隣接する天板片と連結されている。なお、図面では、すべての蝶番を記載すると煩雑になるため、一部の蝶番のみ記載し、残りについては記載を省略している。
【００２４】
天板１１は、広げた状態で中央部分に長方形の開口１２が設けられるように構成されている。また、天板１１は、開口１２を横断する折り目線を軸として折り畳み可能に構成されている。天板１１の折り目線のうちの一方は、開口１２の対角線上を通っている。
【００２５】
図８は、天板１１を広げた状態を示している。図９は、図８の状態から、天板片１１ｃを折り畳む途中の状態を示している。図中の矢印は、天板片を折り畳む方向を示すものである（以下同じ）。図１０は、図９の状態から、天板片１１ｃを完全に折り畳んだ状態を示している。図１１は、図１０の状態から、天板片１１ｄを折り畳む途中の状態を示している。図１２は、図１１の状態から、天板片１１ｄを完全に折り畳んだ状態を示している。図１３は、図１２の状態から、天板片１１ｂ・１１ｄを折り畳む途中の状態を示している。図１４は、図１３の状態から、天板片１ｂ・１ｄを完全に折り畳んだ状態を示している。
【００２６】
このように、天板１１を４つ折りにすることにより、２つ折りにする従来のテーブルよりも高い携帯性を実現することができる。なお、ここでは、天板１１の天板片を４つとしたが、これに限らず、天板片を３つとしてもよいし、５つ以上としてもよい。
【００２７】
また、開口１２の形状を長方形として、天板１１を折り畳む際の軸となる折り目線の一方を、当該長方形の対角線上を通るように構成したことにより、折り畳んだ状態の天板１１に角部が少ない。このため、角部に衝撃が加わることによる天板１１の摩耗や破損が生じにくい。
【００２８】
なお、ここでは天板１１の各構成要素を連結する連結手段として蝶番を用いたが、これに限らず、帯テープやゴム紐等を用いてもよい。
【図面の簡単な説明】
【００２９】
【図１】本発明の一実施形態にかかる折り畳み式テーブルの天板を広げた状態を示す斜視図である。
【図２】本発明の一実施形態にかかる折り畳み式テーブルを、図１に示した状態から折り畳む途中の状態を示した図である。
【図３】本発明の一実施形態にかかる折り畳み式テーブルを、図２に示した状態からさらに折り畳んだ状態を示した図である。
【図４】本発明の一実施形態にかかる折り畳み式テーブルを、図３に示した状態からさらに折り畳む途中の状態を示した図である。
【図５】本発明の一実施形態にかかる折り畳み式テーブルを、図４に示した状態からさらに折り畳んだ状態を示した図である。
【図６】本発明の一実施形態にかかる折り畳み式テーブルを、図５に示した状態からさらに折り畳む方向を示した図である。
【図７】本発明の一実施形態にかかる折り畳み式テーブルを、完全に折り畳んだ状態を示す図である。
【図８】本発明の他の実施形態にかかる折り畳み式テーブルの天板を広げた状態を示す斜視図である。
【図９】本発明の他の実施形態にかかる折り畳み式テーブルを、図８に示した状態から折り畳む途中の状態を示した図である。
【図１０】本発明の他の実施形態にかかる折り畳み式テーブルを、図９に示した状態からさらに折り畳んだ状態を示した図である。
【図１１】本発明の他の実施形態にかかる折り畳み式テーブルを、図１０に示した状態からさらに折り畳む途中の状態を示した図である。
【図１２】本発明の他の実施形態にかかる折り畳み式テーブルを、図１１に示した状態からさらに折り畳んだ状態を示した図である。
【図１３】本発明の他の実施形態にかかる折り畳み式テーブルを、図１２に示した状態からさらに折り畳む途中の状態を示した図である。
【図１４】本発明の他の実施形態にかかる折り畳み式テーブルを、完全に折り畳んだ状態を示す図である。
【符号の説明】
【００３０】
１  天板
１ａ、１ｂ、１ｃ、１ｄ  天板片
２  開口
１１  天板
１１ａ、１１ｂ、１１ｃ、１１ｄ  天板片
１２  開口
【図１】
2016087122.tif 000003
【図２】
2016087122.tif 000004
【図３】
2016087122.tif 000005
【図４】
2016087122.tif 000006
【図５】
2016087122.tif 000007
【図６】
2016087122.tif 000008
【図７】
2016087122.tif 000009
【図８】
2016087122.tif 000010
【図９】
2016087122.tif 000011
【図１０】
2016087122.tif 000012
【図１１】
2016087122.tif 000013
【図１２】
2016087122.tif 000014
【図１３】
2016087122.tif 000015
【図１４】
2016087122.tif 000016